(57)【要約】【課題】簡単かつ短時間に組み立てて使用することができ、使用に際して心理的な抵抗感も少なく降雨による雨水を一時的にも効果的に凌ぐことができる組立式簡易笠を提供する。【解決手段】組立式簡易笠１０は、折り曲げ可能な板紙を円形状に形成した本体部１１で構成されている。本体部１１には、本体部１１を折り曲げることにより組立式簡易笠１０を組み立てるための変形導引部２０と、本体部１１を折り畳むための折り畳み折目３０がそれぞれ形成されている。変形導引部２０は、本体部１１の円周上の一点から同本体部１１の中心部Ｏに向って所定の長さで形成された谷折部２１と、本体部１１の円周上における互いに異なる一点から延び、谷折部２１上で交差する略Ｘ字状の山折部２２，２３とで構成されている。折り畳み折目３０は、本体部１１を二つ折りするための第１の折目３１と、二つ折りされた本体部１１をさらに折り畳むための第２の折目３２〜３５とで構成されている。【選択図】  図５
2010088831.tif 000002
【特許請求の範囲】
【請求項１】
折り曲げ可能な板状体を少なくとも人の頭部を覆う大きさに形成した本体部と、
前記本体部の外周部に設けられ、同外周部における一部および同一部とは異なる他の一部の少なくとも一方を他方に寄せることにより前記本体部の少なくとも一部を略錐状または略円蓋状に変形させるための折目、切れ目およびミシン目のうちの少なくとも１つからなる変形導引部とを備えることを特徴とする組立式簡易笠。
【請求項２】
請求項１に記載した組立式簡易笠において、
前記本体部は、略円形状または略楕円形状であることを特徴とする組立式簡易笠。
【請求項３】
請求項１または請求項２に記載した組立式簡易笠において、
前記変形導引部は、前記外周部における前記一部および前記他の一部の少なくとも一方を他方に寄せた際、前記一部および前記他の一部の少なくとも一方を、前記略錐状または前記略円蓋状に変形させた前記本体部の内側に突出させて支持片を形成させることを特徴とする組立式簡易笠。
【請求項４】
請求項３に記載した組立式簡易笠において、
前記変形導引部は、
前記本体部における周縁部から同本体部の中心部に向かって延びる谷折部と、
前記谷折部よりも長く成形され、前記本体部における互いに異なる周縁部からそれぞれ延びて前記谷折部上にて交差する２つの山折部とを備えることを特徴とする組立式簡易笠。
【請求項５】
請求項３に記載した組立式簡易笠において、
前記変形導引部は、
前記本体部における周縁部から同本体部の中心部に向かって切り込まれた切れ目部と、
前記切れ目部を境とする前記本体部における一方の切れ端部の端部を切り欠いた挿入片と、
前記切れ目部を境とする前記本体部における他方の切れ端部に設けられ、前記挿入片が挿入される挿入孔とを備えることを特徴とする組立式簡易笠。
【請求項６】
請求項１ないし請求項５のうちのいずれか１つに記載した組立式簡易笠において、
前記本体部を折り畳むための折り畳み折目を設けたことを特徴とする組立式簡易笠。
【請求項７】
請求項６に記載した組立式簡易笠において、
前記本体部は、直径が５４０ｍｍ以内の円形に形成され、
前記折り畳み折目は、
前記本体部を二等分する第１の折目と、
前記本体部における中心部を中心として１２０ｍｍ以内の間隔で前記第１の折目と直交する方向に複数形成された第２の折目とを備えたことを特徴とする組立式簡易笠。
【請求項８】
請求項１ないし請求項７のうちのいずれか１つに記載した組立式簡易笠において、
前記本体部は、紙材または樹脂材で構成されていることを特徴とする組立式簡易笠。
【請求項９】
請求項１ないし請求項８のうちのいずれか１つに記載した組立式簡易笠において、
前記本体部は、耐水加工が施されていることを特徴とする組立式簡易笠。
【発明の詳細な説明】
【技術分野】
【０００１】
本発明は、主として雨天時における一時的な雨除けとして用いる組立式簡易笠に関する。
【背景技術】
【０００２】
従来から、雨天時における雨具として傘や雨合羽が広く用いられている。一般に、これらの傘や雨合羽は、携帯性に乏しく手荷物としての負担が大きいため、雨天時以外に携帯されることは稀である。このため、日常生活において不意の降雨に見舞われて対応に苦慮することは決して珍しいことではない。
【０００３】
しかし、このような不意の降雨に見舞われた場合であっても一時的に雨水を防ぐ雨具があれば、降雨による急場を凌ぐことができることもある。例えば、駐車場内に停めた自動車や、最寄りの駅や商店などに駆け込む間の雨水を防ぐことができれば、以降は必ずしも雨具は必要でないことも少なくない。このため、一時的でも雨水を防ぐことができ携帯性にも優れた簡易な雨具が望まれる。
【０００４】
一方、下記特許文献１には、四つ折にした厚紙を広げて二つ折りの切妻状の笠を形成することにより携帯性の向上を図った日除け笠が開示されている。しかしながら、このような日除け笠においては、日差しを遮るための厚紙製の本体部が日除けを目的とした切妻形状に形成されているため、雨水を防止するための笠として直ちに転用することはできない。
【特許文献１】実開昭６１−１３４３１４号公報
【０００５】
具体的には、顔面前方から降り込む雨水を防ぐことが困難であるとともに、本体部に付着した雨水が直ちに肩上に落ちて着衣を早期に濡らしてしまうという問題がある。また、本体部が使用者の頭部に紐体により固定されるため、日除け笠の組み立てから装着までに時間が掛かるとともに、日除け笠の組立時および収納時における紐体の取り扱いが煩雑である。また、使用者が日除け笠を装着した状態で走った場合や強風時には、本体部の位置や向きがずれ易いという問題もある。また、日除け笠が使用者の頭部に固定されるため、雨水の降り込む方向に対応し辛いという問題もあるほか、本体部を頭部に装着した外観に対する使用者の心理的な抵抗感があり、このような形態の日除け笠の装着が現実的でないという問題もある。さらには、上記した日除け笠は、本体部と紐体により構成されているため、製造工数および製造コストが嵩むという問題もあった。
【発明の開示】
【０００６】
本発明は上記問題に対処するためなされたもので、その目的は、簡単かつ短時間に組み立てて使用することができ、使用に際して心理的な抵抗感も少なく降雨による雨水を一時的にも効果的に凌ぐことができる組立式簡易笠を提供することにある。
【０００７】
上記目的を達成するため、請求項１に係る本発明の特徴は、組立式簡易笠は、折り曲げ可能な板状体を少なくとも人の頭部を覆う大きさに形成した本体部と、本体部の外周部に設けられ、同外周部における一部および同一部とは異なる他の一部の少なくとも一方を他方に寄せることにより本体部の少なくとも一部を略錐状または略円蓋状に変形させるための折目、切れ目およびミシン目のうちの少なくとも１つからなる変形導引部とを備えることにある。
【０００８】
この場合、前記組立式簡易笠において、本体部は、例えば、略円形状または略楕円形状であるとよい。
【０００９】
このように構成した請求項１に係る本発明の特徴によれば、組立式簡易笠は、人の頭部を覆うことができる大きさに形成した折り曲げ可能な板状体からなる本体部に、同本体部の外周部における一部および同一部とは異なる他の一部の少なくとも一方を他方に寄せることにより本体部の一部を略錐状または円蓋状に変形させるための折目、切れ目またはミシン目からなる変形導引部を備えて構成されている。これにより、組立式簡易笠の使用者は、本体部に設けられた変形導引部に沿って本体部を主として折り曲げることにより本体部の一部が略錐状または略円蓋状に突出した形状の組立式簡易笠を簡単かつ短時間に組み立て使用することができる。そして、使用者は、本体部の外周部における寄せた部分を保持しながら頭上に配置することにより雨除け（雪除けも含む）や日除けとして用いることができる。この場合、本体部は使用者の手によって保持されており、特定の場所に固定されるものではないため、組立式簡易笠の配置位置や向きを自由に変更でき、従来技術のような配置位置や向きのずれがないとともに、本体部の頭部への装着による心理的抵抗感も少ない。すなわち、この組立式簡易笠は、組み立て、使用および解体の取り扱いが極めて容易である。また、形成された組立式簡易笠の本体部は、本体部の一部が略錐状または略円蓋に突出した形状に形成されているため、顔面前方から降り込む雨水を効果的に防ぐことができるとともに、本体部に付着した雨水が直ちに肩上に落ちて着衣を早期に濡らしてしまうことを防止することができる。また、この組立式簡易笠は、板状体からなる本体部に変形導引部を形成した構成であるため、簡単かつ安価に製造することができる。これらの結果、本発明に係る組立式簡易笠は、簡単かつ短時間に組み立てて使用することができ、使用に際して心理的な抵抗感も少なく降雨による雨水を一時的にも効果的に凌ぐことができる。
【００１０】
また、請求項３に係る本発明の他の特徴は、前記組立式簡易笠において、変形導引部は、外周部における前記一部および前記他の一部の少なくとも一方を他方に寄せた際、前記一部および前記他の一部の少なくとも一方を、略錐状または略円蓋状に変形させた本体部の内側に突出させて支持片を形成させることにある。
【００１１】
この場合、前記組立式簡易笠において、変形導引部は、例えば、本体部における周縁部から同本体部の中心部に向かって切り込まれた切れ目部と、切れ目部を境とする本体部における一方の切れ端部の端部を切り欠いた挿入片と、切れ目部を境とする本体部における他方の切れ端部に設けられ、挿入片が挿入される挿入孔とを備えてもよい。
【００１２】
また、この場合、前記組立式簡易笠において、変形導引部は、例えば、本体部における周縁部から同本体部の中心部に向かって切り込まれた切れ目部と、切れ目部を境とする本体部における一方の切れ端部の端部を切り欠いた挿入片と、切れ目部を境とする本体部における他方の切れ端部に設けられ、挿入片が挿入される挿入孔とを備えてもよい。
【００１３】
このように構成した請求項３に係る本発明の他の特徴によれば、組立式簡易笠における変形導引部は、本体部の外周部における一部および同一部とは異なる他の一部の少なくとも一方を他方に寄せた際、前記一部および前記他の一部の少なくとも一方を略錐状または略円蓋状に変形した本体部における内側に突出した状態の支持片を形成させる。これにより、組立式簡易笠の使用者は、本体部の内側に突出した支持片を掴むことにより組立式簡易笠を安定的に把持した状態で使用することができる。
【００１４】
また、請求項６に係る本発明の他の特徴は、前記組立式簡易笠において、本体部を折り畳むための折り畳み折目を設けたことにある。このように構成した請求項６に係る本発明の他の特徴によれば、組立式簡易笠には、本体部を折り畳むための折り畳み折目が設けられている。これにより、使用者は、組立式簡易笠を使用しない場合においては、降り畳み折目に沿って本体部を折り畳むことによって組立式簡易笠の大きさを所定の形状に小さくすることができる。これにより、組立式簡易笠の携帯性および保管性が向上するとともに使用後における廃棄の利便性が向上する。
【００１５】
また、請求項７に係る本発明の他の特徴は、前記組立式簡易笠において、例えば、本体部は、直径が５４０ｍｍ以内の円形に形成され、折り畳み折目は、本体部を二等分する第１の折目と、本体部における中心部を中心として１２０ｍｍ以内の間隔で第１の折目と直交する方向に複数形成された第２の折目とを備えるとよい。このように構成した請求項７に係る本発明の他の特徴によれば、本体部を折り畳んだ際における組立式簡易笠の大きさを背広の内ポケットに収容可能な大きさにすることができる。これにより、組立式簡易笠の携帯性、保管性または廃棄の利便性が一層向上する。
【００１６】
また、請求項８に係る本発明の他の特徴は、前記組立式簡易笠において、本体部は、例えば、紙材または樹脂材で構成されるとよい。このように構成した請求項８に係る本発明の他の特徴によれば、組立式簡易笠における本体部を軽量に構成することができるとともに組立式簡易笠の携帯性を向上させることができる。また、本体部を樹脂で構成することにより水に対する耐久性を向上させることができる。
【００１７】
また、請求項９に係る本発明の他の特徴は、前記組立式簡易笠において、本体部は、耐水加工が施されているとよい。この場合、耐水加工とは、主として水や湿気に対する耐久性を向上させるための処理であり、例えば、薬品や樹脂(ワックス)を本体部に塗布または浸み込ませることにより水の浸入を防止する処理である。このように構成した請求項９に係る本発明の他の特徴によれば、本体部の耐水性が向上するため組立式簡易笠の連続使用可能時間を延ばすことができるとともに、組立式簡易笠の耐久性（製品寿命）を向上させることができる。
【発明を実施するための最良の形態】
【００１８】
以下、本発明に係る組立式簡易笠の一実施形態について図面を参照しながら説明する。図１は、本発明に係る組立式簡易笠１０を展開した（広げた）状態の外観を示す平面図である。この組立式簡易笠１０は、組み立てられることにより雨除けや日除けとして用いられるものである。
【００１９】
（組立式簡易笠１０の構成）
組立式簡易笠１０は、折り曲げ可能な板紙を円形状に形成した本体部１１で構成されている。本実施形態においては、本体部１１は、厚さが約０.６ｍｍ、直径が約５４０ｍｍの円板状に形成されており、人の頭部を中心とする両肩を覆うことができる大きさに形成されている。この本体部１１には、本体部１１を折り曲げるための変形導引部２０および折り畳み折目３０がそれぞれ形成されている。なお、図において変形導引部２０および折り畳み折目３０をそれぞれ破線で示している。
【００２０】
変形導引部２０は、１本の谷折部２１と、２本の山折部２２，２３とで構成されている。これらのうち、谷折部２１は、本体部１１の円周上の一点から同本体部１１の中心部Ｏに向って所定の長さで形成された谷折り用の折目である。本実施形態においては、谷折部２１は、本体部１１の円周上の一点から約１２０ｍｍの長さで形成されている。ここで谷折りとは、本体部１１の表面から見て折目が内側になるように折ることである。
【００２１】
一方、山折部２２，２３は、本体部１１の円周上における互いに異なる一点から延び、谷折部２１上で交差する略Ｘ字状の山折用の折目である。ここで山谷折りとは、本体部１１の表面から見て折目が外側になるように折ることである。本実施形態においては、山折部２２，２３は、谷折部２１を中心として図示左右方向にそれぞれ約５７ｍｍずつ離れた本体部１１の円周上の一点からそれぞれ延び、谷折部２１における図示上側端部上で交差した後、本体部１１の図示上下方向における略中間部まで延びて形成されている。なお、谷折部２１上における山折部２２，２３の交差点を交点Ｐとする。
【００２２】
折り畳み折目３０は、１本の第１の折目３１と、４本の第２の折目３２，３３，３４，３５とで構成されている。これらのうち、第１の折目３１は、本体部１１を図示上下方向に二等分するための山折り用の折目であり、本体部１１の中心部Ｏを通って同本体部１１を横断して形成されている。第２の折目３２〜３５は、本体部１１の中心部Ｏを中心として第２の折目３２，３４と第２の折目３３，３５とが図示左右方向に対称の位置にそれぞれ形成された山折り用の折目であり、本体部１１を縦断してそれぞれ形成されている。
【００２３】
第２の折目３２〜３５のうち、第２の折目３２，３３は、本体部１１の中心部Ｏを中心とする約１１４ｍｍの間隔（図においてａで示す）を介してそれぞれ形成されている。また、第２の折目３４，３５は、それぞれ第２の折目３２，３３の外側方向に約１０８ｍｍの間隔（図においてｂで示す）を介してそれぞれ形成されている。なお、この場合、第２の折目３４，３５と本体部１１の端部との間隔（図においてｃで示す）はそれぞれ約１０５ｍｍとなる。
【００２４】
この組立式簡易笠１０における本体部１１の表面には、耐水加工が施されている。耐水加工は、主として水や湿気に対する耐久性を向上させるための処理であり、本実施形態においては、本体部１１の表面にパラフィンワックスがコーティングされている。なお、耐水加工は、本体部１１の耐水性を向上させる処理であれば、パラフィンワックスのコーティングに限定されるものではなく、パラフィンワックス以外の薬品や樹脂を本体部１１の表面に塗布または浸み込ませて本体部１１の耐水性を向上させることができる。
【００２５】
（組立式簡易笠１０の作動）
次に、上記のように構成した組立式簡易笠１０の作動について説明する。まず、組立式簡易笠１０の折り畳み作業について説明する。この組立式簡易笠１０の折り畳み作業は、組立式簡易笠１０の製造段階、または組立式簡易笠１０の使用に際して組立式簡易笠１０の携帯や保管のために行う作業である。
【００２６】
まず、組立式簡易笠１０の折り畳み作業を行う作業者は、平面状に展開した状態の本体部１１、すなわち、円形に裁断した板紙に変形導引部２０および折り畳み折目３０をそれぞれ形成した本体部１１を用意する（図１参照）。次に、作業者は、図２（Ａ）に示すように、本体部１１を第１の折目３１の折目に沿って山折りにして同本体部１１を二つ折りにする。次に、作業者は、図２（Ｂ）に示すように、第２の折目３２を山折りにするとともに、第２の折目３４を谷折りにする。この場合、第２の折目３２，３４は、本体部１１が二つ折りにされているため、互いに対向する第２の折目３２，３４同士で折る方向が互いに反対方向（山折りと谷折り）となる。
【００２７】
具体的に説明すると、例えば、山折りの折目である第２の折目３２は、本体部１１が二つ折りにされることにより第２の折目３２も図示上下方向に二つ折りになる。このため、二つ折り状態の本体部１１の第２の折目３２を山折りにすると、互いに対向する第２の折目３２の一方が山折りになるとともに他方が谷折りになる。すなわち、第２の折目３２の一部（他方の折目）を谷折りに折ることになる。しかし、山折りの折目に形成された第２の折目３２における前記他方の折目を谷折りにする場合であっても、折目の存在により同山折りの折目の第２の折目３２を折目に沿って適確に谷折りすることができる。
【００２８】
次に、作業者は、第２の折目３２，３４と同様に、第２の折目３３を山折りにするとともに、第２の折目３５を谷折りにする。これにより、本体部１１は、図２（Ｃ）に示すように、図示上下方向の長さが本体部１１の半径の長さ（約２７０ｍｍ）で、図示左右方向の長さが第２の折目３２，３３の幅（約１１４ｍｍ）の長さの略長方形状に折り畳まれる。この場合、本体部１１の折り畳まれた際の厚さは、約６ｍｍである。この折り畳まれた本体部１１の大きさは、男性用スーツの上着（背広）の内ポケットの大きさに対応している。すなわち、第２の折目３２〜３５の各折目の間隔は、一般的な背広の内ポケットの幅（約１２０ｍｍ）に対応して形成されている。このため、本体部１１が折り畳まれた状態の組立式簡易笠１０は、背広の内ポケットなどに収容して容易に持ち運ぶことができる大きさとなる。これにより、組立式簡易笠１０の携帯性が向上するとともに保管スペースの省スペース化が可能となる。
【００２９】
なお、本実施形態においては、第２の折目３２，３４を折った後、第２の折目３３，３５を折って本体部１１を折り畳んだ。しかし、折り畳む順序はこれに限定されるものではなく、例えば、第２の折目３３，３５を折った後、第２の折目３２，３４を折って本体部１１を折り畳むようにしてもよいことは言うまでもない。
【００３０】
次に、組立式簡易笠１０を使用する際における組立式簡易笠１０の組み立て作業について説明する。組立式簡易笠１０を使用する使用者は、まず、前記折り畳まれた状態の組立式簡易笠１０を用意する。そして、使用者は、折り畳まれた状態の本体部１１を前記折り畳み手順とは逆の手順にて展開する（図１，図２参照）。次に、使用者は、展開された本体部１１における谷折部２１を谷折りするとともに２本の山折部２２，２３における交点Ｐよりも図示下側部分をそれぞれ山折りにする。これにより、本体部１１において山折部２２，２３で囲まれた部分が谷折部２１を境として互いに寄り合う。
【００３１】
このため、本体部１１の外形は、図３および図４（Ａ）〜（Ｄ）に示すように、２本の山折部２２，２３の交点Ｐが図示上方に隆起した略錐状、換言すれば、亀の甲羅状に湾曲した形状に形成される。この場合、山折部２２，２３は、本体部１１の図示上下方向における略中間部まで延びて形成されている。このため、本体部１１における図示左右方向の各端部の下垂が防止され、使用者の両肩を覆う大きさを確保しつつ本体部１１の表面の傾斜をなだらかに変形させる。また、略錐状に変形した本体部１１の内側（裏側）には、谷折りされた谷折部２１が本体部１１の内側に突出して支持片１２が形成される。この谷折部２１および山折部２２，２３の折り作業により、組立式簡易笠１０の組み立て作業が完了し組立式簡易笠１０が完成する。
【００３２】
完成した組立式簡易笠１０の使用に際しては、使用者は、図５に示すように、本体部１１の内側に突出した支持片１２を片手で把持することにより本体部１１を頭上に配置して組立式簡易笠１０を雨除け（雪除けも含む）または日除けとして使用することができる。この場合、組立式簡易笠１０は、使用者により把持されているため、使用者の望む任意の位置および向きに組立式簡易笠を位置決めすることができるとともに、位置決めした位置や向きが使用者の意思に反してずれることがない。
【００３３】
また、組立式簡易笠１０の本体部１１は、使用者の両肩を覆う大きさに形成されているとともに、本体部１１の表面の傾斜がなだらかに形成されている。このため、組立式簡易笠１０を雨除けとして使用した際には、本体部１１の表面に付着した雨水が直ちに肩上に落ちて着衣を早期に濡らしてしまうことを防止する。また、本体部１１の表面には耐水加工が施されているため、本体部１１への雨水の浸み込みが防止されて本体部１１の損傷が抑えられ雨除けとしての機能を長時間に亘って維持することができる。また、本体部１１の図示上下方向における略中間部まで山折部２２，２３の折目が形成されているため、組立式簡易笠１０の使用時における本体部１１の所謂型崩れを効果的に防止する。
【００３４】
そして、組立式簡易笠１０の使用後においては、使用者は、折られた状態の谷折部２１および山折部２２，２３を平面状に戻した後、前記組立式簡易笠１０の折り畳み作業と同様の手順にて本体部１１を折り畳む。この場合、本体部１１の表面が濡れたり汚れたりしている場合には、使用者は、本体部１１の第１の折目３１を谷折りして本体部１１の表面が内側になるように本体部１１を折り畳む。そして、使用者は、本体部１１の表面が濡れている場合には、折り畳まれた状態の本体部１１を振るなどして付着した水分を取り除いた後、適当な袋に収納して携帯または保管する。なお、本体部１１が再使用不能な程度に汚損した場合や再使用を望まない場合には、本体部１１を折り畳まない状態または折り畳んだ状態で廃棄してもよい。なお、組立式簡易笠１０を廃棄する場合には、本体部１１を折り畳み折目３０に沿って折り畳んだ方が廃棄し易い。
【００３５】
上記作動説明からも理解できるように、上記実施形態によれば、組立式簡易笠１０は、使用者の両肩を覆うことができる大きさに形成した折り曲げ可能な板状体からなる本体部１１に、同本体部１１の外周部における一部と同一部とは異なる他の一部とを寄せ合うことにより本体部１１の一部を錐状に変形させるための折目からなる変形導引部２０を備えて構成されている。これにより、組立式簡易笠１０の使用者は、本体部１１に設けられた変形導引部２０に沿って本体部１１を折り曲げることにより本体部１１の一部が略錐状に突出した形状の組立式簡易笠１０を簡単かつ短時間に組み立て使用することができる。そして、使用者は、本体部１１の支持片１２を保持しながら頭上に配置することにより雨除けや日除けとして用いることができる。この場合、本体部１１は使用者の手によって保持されており、特定の場所に固定されるものではないため、組立式簡易笠１０の配置位置や向きを自由に変更でき、従来技術のような配置位置や向きのずれがないとともに、本体部１１の頭部への装着による心理的抵抗感も少ない。すなわち、この組立式簡易笠１０は、組み立て、使用および解体の取り扱いが極めて容易である。また、形成された組立式簡易笠１０の本体部１１は、本体部１１の一部が錐状に突出した形状、換言すれば、亀の甲羅状に湾曲した形状に形成されているため、顔面前方から降り込む雨水を効果的に防ぐことができるとともに、本体部１１に付着した雨水が直ちに肩上に落ちて着衣を早期に濡らしてしまうことを防止することができる。また、組立式簡易笠１０は、板紙からなる本体部１１に変形導引部２０および折り畳み折目３０を形成するのみで製作することができるため、簡単かつ安価に製造することができる。すなわち、本発明に係る組立式簡易笠１０は、簡単かつ短時間に組み立てて使用することができ、使用に際して心理的な抵抗感も少なく降雨による雨水を効果的に凌ぐことができる。
【００３６】
さらに、本発明の実施にあたっては、上記実施形態に限定されるものではなく、本発明の目的を逸脱しない限りにおいて種々の変更が可能である。
【００３７】
例えば、上記実施形態においては、変形導引部２０は、１本の谷折部２１と２本の山折部２２，２３とで構成した。しかし、変形導引部２０は、本体部１１の外周部に設けられ、同外周部１１における一部および同一部とは異なる他の一部の少なくとも一方を他方に寄せることにより本体部１１の一部を略錐状または略円蓋状に変形させるための折目、切れ目またはミシン目（断続的な孔）、またはこれらの組合せで構成されていれば、上記実施形態に限定されるものではない。
【００３８】
例えば、図６に示すように、変形導引部２０を、本体部１１における周縁部から同本体部１１の中心部Ｏに向かって切り込まれた切れ目部２４と、切れ目部２４を境とする本体部１１における一方（図示右側）の切れ端部の端部を図示水平方向に切り欠いた挿入片２５と、切れ目部２４を境とする本体部１１における他方（図示左側）の切れ端部に設けられ、挿入片２５が挿入される挿入孔２６および同挿入孔２６より図示右側部分における前記他方の切れ端部を山折りするための山折部２７とで構成することもできる。
【００３９】
なお、図６に示す組立式簡易笠１０においては、折り畳み折目３０として本体部１１の中心部Ｏを介して同本体部１１を縦断する山折りの第２の折目３６が更に設けられている。そして、この第２の折目３６を中心として第２の折目３２，３３が約１００ｍｍの間隔を介してそれぞれ形成されており、これら第２の折目３２，３３の外側方向に約９０ｍｍの間隔を介して第２の折目３４，３５がそれぞれ形成されている。また、第２の折目３４，３５と本体部１１の端部との間隔（図においてｃで示す）はそれぞれ約８０ｍｍである。
【００４０】
このように構成した本体部１１の組み立て時においては、図７に示すように、挿入片２５を挿入孔２６に寄せて挿入することにより本体部１１の一部を略錐状に形成することができる。そして、使用者は、本体部１１の内側（裏側）にて挿入孔２６を貫通した挿入片２５および山折部２７を山折りした前記他方の切れ端部を支持片１２として把持することにより本体部１１を支持することができる。
【００４１】
また、上記実施形態においては、本体部１１として円形に形成した板紙を用いた。しかし、本体部１１は、折り曲げ可能な板状体の素材であれば、上記実施形態に限定されるものではない。すなわち、板紙以外の紙材や樹脂材を用いて本体部１１を構成してもよい。なお、この場合、紙材は木材を始めとして植物などの非木材を原料とする紙材や所謂再生紙を用いることができることは当然である。また、本体部１１の大きさや形状も少なくとも使用者の頭部を覆う大きさや形状に形成されていれば、上記実施形態における寸法値を含む大きさや形状に限定されるものではなく、円形以外の形状、例えば、楕円形や方形に形成されていてもよい。これらによっても、上記実施形態と同様の効果が期待できる。
【００４２】
また、上記実施形態および上記変形例においては、変形導引部２０は、本体部１１の内側（裏側）に支持片１２が突出するように構成した。しかし、支持片１２は、本体部１１を支持し易くするためのものである。したがって、本体部１１に本体部１１を支持するための支持部を別途設ける、または本体部１１の縁部を直接把持する場合になどには、必ずしも支持片１２を形成させるように変形導引部２０を構成する必要はない。なお、上記実施形態および上記変形例においては、支持部１２を把持することにより略錐状に変形させた本体部１１の形状（組立状態）を維持している。これらの場合、本体部１１における互いに寄せ合わされた部分を両面テープや接着材により強固に接合して本体部１１の組立状態をより確実に維持することができる。
【００４３】
また、上記実施形態においては、本体部１１に折り畳み折目３０を設けることにより本体部１１を背広の内ポケットに収納できる大きさに折り畳めるように構成した。しかし、折り畳み折目３０は、本体部１１を折り畳み易くして組立式簡易笠１０の携帯性、保管性または廃棄性を向上させるものである。したがって、折り畳み折目３０の構成は、上記実施形態に限定されるものではなく、求められる本体部１１の折り畳み形状に応じて適宜構成すればよいとともに、本体部１１を折り畳む必要がない場合には、折り畳み折目３０は必ずしも必要ではない。また、本体部１１は、折り曲げ可能な素材で構成されているため、折り畳み折目３０を設けない場合であっても折り畳む、または無秩序に丸めることは可能である。
【００４４】
また、上記実施形態においては、本体部１１の表面に耐水加工としてパラフィンワックスのコーティングを施した。しかし、本体部１１は、耐水加工を施さない場合であってもある程度の雨水を防ぐことは可能である。すなわち、本体部１１への耐水加工は必ずしも必要ではない。また、コートボール紙などの比較的水や湿気に強い素材を用いることにより耐水加工に準じた耐水性を備えさせることもできる。なお、本体部１１を構成する素材に樹脂を用いた場合であっても撥水処理などの耐水加工を施すことにより本体部１１の耐水能力や耐久性（製品寿命）を向上させることができることは言うまでもない。
【図面の簡単な説明】
【００４５】
【図１】本発明の一実施形態に係る組立式簡易笠の全体構成を示す平面図である。
【図２】（Ａ）〜（Ｃ）は、図１に示す組立式簡易笠の折り畳み過程を示す説明図である。
【図３】図１に示す組立式簡易笠の組み立て状態を示す斜視図である。
【図４】（Ａ）〜（Ｃ）は、図１に示す組立式簡易笠の組み立て状態を示しており、（Ａ）は同組立式簡易笠の正面図であり、（Ｂ）は同組立式簡易笠の右側面図であり、（Ｃ）は（Ａ）に示したＡ−Ａ線から見た同組立式簡易笠の断面右側面図であり、（Ｄ）は同組立式簡易笠の背面図である。
【図５】図１に示す組立式簡易笠の使用状態を示す説明図である。
【図６】本発明の変形例に係る組立式簡易笠の全体構成を示す平面図である。
【図７】図６に示す組立式簡易笠の組み立て状態を示す斜視図である。
【符号の説明】
【００４６】
Ｏ…中心部、Ｐ…交点、１０…組立式簡易笠、１１…本体部、１２…支持部、２０…変形導引部、２１，２７…山折部、２２，２３…谷折部、２４…切れ目部、２５…挿入片、２６…挿入孔、３０…折り畳み折目、３１…第１の折目、３２，３３，３４，３５，３６…第２の折目。
【図１】
2010088831.tif 000003
【図２】
2010088831.tif 000004
【図３】
2010088831.tif 000005
【図４】
2010088831.tif 000006
【図５】
2010088831.tif 000007
【図６】
2010088831.tif 000008
【図７】
2010088831.tif 000009
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
折り曲げ可能な板状体を少なくとも人の頭部を覆う大きさに形成した本体部と、
前記本体部の外周部に設けられ、同外周部における一部および同一部とは異なる他の一部の少なくとも一方を他方に寄せることにより前記本体部の少なくとも一部を略錐状または略円蓋状に変形させるための折目、切れ目およびミシン目のうちの少なくとも１つからなる変形導引部とを備え、
前記変形導引部は、前記外周部における前記一部および前記他の一部の少なくとも一方を他方に寄せたとき、前記本体部の内側にて把持可能な支持片を前記一部および前記他の一部の少なくとも一方を前記本体部の内側に突出させて形成することを特徴とする組立式簡易笠。
【請求項２】
請求項１に記載した組立式簡易笠において、
前記本体部は、略円形状または略楕円形状であることを特徴とする組立式簡易笠。
【請求項３】
請求項１または請求項２に記載した組立式簡易笠において、
前記変形導引部は、
前記本体部における周縁部から同本体部の中心部に向かって延びる谷折部と、
前記谷折部よりも長く成形され、前記本体部における互いに異なる周縁部からそれぞれ延びて前記谷折部上にて交差する２つの山折部とを備えることを特徴とする組立式簡易笠。
【請求項４】
請求項１または請求項２に記載した組立式簡易笠において、
前記変形導引部は、
前記本体部における周縁部から同本体部の中心部に向かって切り込まれた切れ目部と、
前記切れ目部を境とする前記本体部における一方の切れ端部の端部を切り欠いた挿入片と、
前記切れ目部を境とする前記本体部における他方の切れ端部に設けられ、前記挿入片が挿入される挿入孔とを備えることを特徴とする組立式簡易笠。
【請求項５】
請求項１ないし請求項４のうちのいずれか１つに記載した組立式簡易笠において、
前記本体部を折り畳むための折り畳み折目を設けたことを特徴とする組立式簡易笠。
【請求項６】
請求項５に記載した組立式簡易笠において、
前記本体部は、直径が５４０ｍｍ以内の円形に形成され、
前記折り畳み折目は、
前記本体部を二等分する第１の折目と、
前記本体部における中心部を中心として１２０ｍｍ以内の間隔で前記第１の折目と直交する方向に複数形成された第２の折目とを備えたことを特徴とする組立式簡易笠。
【請求項７】
請求項１ないし請求項６のうちのいずれか１つに記載した組立式簡易笠において、
前記本体部は、紙材または樹脂材で構成されていることを特徴とする組立式簡易笠。
【請求項８】
請求項１ないし請求項７のうちのいずれか１つに記載した組立式簡易笠において、
前記本体部は、耐水加工が施されていることを特徴とする組立式簡易笠。
【手続補正２】
【補正対象書類名】明細書
【補正対象項目名】０００７
【補正方法】変更
【補正の内容】
【０００７】
上記目的を達成するため、本発明の特徴は、組立式簡易笠は、折り曲げ可能な板状体を少なくとも人の頭部を覆う大きさに形成した本体部と、本体部の外周部に設けられ、同外周部における一部および同一部とは異なる他の一部の少なくとも一方を他方に寄せることにより本体部の少なくとも一部を略錐状または略円蓋状に変形させるための折目、切れ目およびミシン目のうちの少なくとも１つからなる変形導引部とを備え、変形導引部は、外周部における前記一部および前記他の一部の少なくとも一方を他方に寄せたとき、本体部の内側にて把持可能な支持片を前記一部および前記他の一部の少なくとも一方を本体部の内側に突出させて形成することにある。
【手続補正３】
【補正対象書類名】明細書
【補正対象項目名】０００９
【補正方法】変更
【補正の内容】
【０００９】
また、この場合、前記組立式簡易笠において、変形導引部は、例えば、本体部における周縁部から同本体部の中心部に向かって切り込まれた切れ目部と、切れ目部を境とする本体部における一方の切れ端部の端部を切り欠いた挿入片と、切れ目部を境とする本体部における他方の切れ端部に設けられ、挿入片が挿入される挿入孔とを備えてもよい。
【手続補正４】
【補正対象書類名】明細書
【補正対象項目名】００１０
【補正方法】変更
【補正の内容】
【００１０】
このように構成した請求項１に係る本発明の特徴によれば、組立式簡易笠は、人の頭部を覆うことができる大きさに形成した折り曲げ可能な板状体からなる本体部に、同本体部の外周部における一部および同一部とは異なる他の一部の少なくとも一方を他方に寄せることにより本体部の一部を略錐状または円蓋状に変形させるための折目、切れ目またはミシン目からなる変形導引部を備えて構成されている。これにより、組立式簡易笠の使用者は、本体部に設けられた変形導引部に沿って本体部を主として折り曲げることにより本体部の一部が略錐状または略円蓋状に突出した形状の組立式簡易笠を簡単かつ短時間に組み立て使用することができる。そして、使用者は、本体部の外周部における寄せた部分を保持しながら頭上に配置することにより雨除け（雪除けも含む）や日除けとして用いることができる。この場合、本体部は使用者の手によって保持されており、特定の場所に固定されるものではないため、組立式簡易笠の配置位置や向きを自由に変更でき、従来技術のような配置位置や向きのずれがないとともに、本体部の頭部への装着による心理的抵抗感も少ない。
【手続補正５】
【補正対象書類名】明細書
【補正対象項目名】００１１
【補正方法】変更
【補正の内容】
【００１１】
すなわち、この組立式簡易笠は、組み立て、使用および解体の取り扱いが極めて容易である。また、形成された組立式簡易笠の本体部は、本体部の一部が略錐状または略円蓋に突出した形状に形成されているため、顔面前方から降り込む雨水を効果的に防ぐことができるとともに、本体部に付着した雨水が直ちに肩上に落ちて着衣を早期に濡らしてしまうことを防止することができる。また、この組立式簡易笠は、板状体からなる本体部に変形導引部を形成した構成であるため、簡単かつ安価に製造することができる。
【手続補正６】
【補正対象書類名】明細書
【補正対象項目名】００１２
【補正方法】変更
【補正の内容】
【００１２】
また、この組立式簡易笠における変形導引部は、前記外周部における前記一部および前記他の一部の少なくとも一方を他方に寄せたとき、本体部の内側にて把持可能な支持片を前記一部および前記他の一部の少なくとも一方を本体部の内側に突出させて形成する。これにより、組立式簡易笠の使用者は、本体部の内側に突出した支持片を掴むことにより組立式簡易笠を安定的に把持した状態で使用することができる。
【手続補正７】
【補正対象書類名】明細書
【補正対象項目名】００１３
【補正方法】変更
【補正の内容】
【００１３】
これらの結果、本発明に係る組立式簡易笠は、簡単かつ短時間に組み立てて使用することができ、使用に際して心理的な抵抗感も少なく降雨による雨水を一時的にも効果的に凌ぐことができる。
【手続補正８】
【補正対象書類名】明細書
【補正対象項目名】００１４
【補正方法】変更
【補正の内容】
【００１４】
また、請求項５に係る本発明の他の特徴は、前記組立式簡易笠において、本体部を折り畳むための折り畳み折目を設けたことにある。このように構成した請求項５に係る本発明の他の特徴によれば、組立式簡易笠には、本体部を折り畳むための折り畳み折目が設けられている。これにより、使用者は、組立式簡易笠を使用しない場合においては、降り畳み折目に沿って本体部を折り畳むことによって組立式簡易笠の大きさを所定の形状に小さくすることができる。これにより、組立式簡易笠の携帯性および保管性が向上するとともに使用後における廃棄の利便性が向上する。
【手続補正９】
【補正対象書類名】明細書
【補正対象項目名】００１５
【補正方法】変更
【補正の内容】
【００１５】
また、請求項６に係る本発明の他の特徴は、前記組立式簡易笠において、例えば、本体部は、直径が５４０ｍｍ以内の円形に形成され、折り畳み折目は、本体部を二等分する第１の折目と、本体部における中心部を中心として１２０ｍｍ以内の間隔で第１の折目と直交する方向に複数形成された第２の折目とを備えるとよい。このように構成した請求項６に係る本発明の他の特徴によれば、本体部を折り畳んだ際における組立式簡易笠の大きさを背広の内ポケットに収容可能な大きさにすることができる。これにより、組立式簡易笠の携帯性、保管性または廃棄の利便性が一層向上する。
【手続補正１０】
【補正対象書類名】明細書
【補正対象項目名】００１６
【補正方法】変更
【補正の内容】
【００１６】
また、請求項７に係る本発明の他の特徴は、前記組立式簡易笠において、本体部は、例えば、紙材または樹脂材で構成されるとよい。このように構成した請求項７に係る本発明の他の特徴によれば、組立式簡易笠における本体部を軽量に構成することができるとともに組立式簡易笠の携帯性を向上させることができる。また、本体部を樹脂で構成することにより水に対する耐久性を向上させることができる。
【手続補正１１】
【補正対象書類名】明細書
【補正対象項目名】００１７
【補正方法】変更
【補正の内容】
【００１７】
また、請求項８に係る本発明の他の特徴は、前記組立式簡易笠において、本体部は、耐水加工が施されているとよい。この場合、耐水加工とは、主として水や湿気に対する耐久性を向上させるための処理であり、例えば、薬品や樹脂(ワックス)を本体部に塗布または浸み込ませることにより水の浸入を防止する処理である。このように構成した請求項８に係る本発明の他の特徴によれば、本体部の耐水性が向上するため組立式簡易笠の連続使用可能時間を延ばすことができるとともに、組立式簡易笠の耐久性（製品寿命）を向上させることができる。
【手続補正１２】
【補正対象書類名】明細書
【補正対象項目名】００４６
【補正方法】変更
【補正の内容】
【００４６】
Ｏ…中心部、Ｐ…交点、１０…組立式簡易笠、１１…本体部、１２…支持部、２０…変形導引部、２１…谷折部、２２，２３，２７…山折部、２４…切れ目部、２５…挿入片、２６…挿入孔、３０…折り畳み折目、３１…第１の折目、３２，３３，３４，３５，３６…第２の折目。